(57)【要約】【課題】チェンジャー付き入出力装置において、マガジンを使用することなしに、テープの使用を可能にする。【解決手段】開示されるチェンジャー付き入出力装置は、磁気テープをロードしてデータの書き込み，読み出しを行うドライブ１１２と、複数の磁気テープを格納するマガジン１１４と、ドライブとマガジンとの間で磁気テープの搬送を行うチェンジャー１１３とを備えた磁気テープ装置１１であって、チェンジャー型として運用の開始処理を行って、磁気テープがドライブにロードされたことを検出したときは、チェンジャーにマガジンがセットされたことをホストシステム１２に通知し、チェンジャーがマガジンからドライブへ磁気テープをマウントするためのホストシステムからのマウント命令を受信したとき、ホストシステムにマウントが完了したことを報告するように構成されている。【選択図】図１
2008234796.tif 000002
【特許請求の範囲】
【請求項１】
可搬媒体をロードしてデータの書き込み，読み出しを行うドライブと、複数の可搬媒体を格納するマガジンと、前記ドライブとマガジンとの間で可搬媒体の搬送を行うチェンジャーとを備えた入出力装置であって、チェンジャー型として運用の開始処理を行って、可搬媒体がドライブにロードされたことを検出したときは、チェンジャーにマガジンがセットされたことをホストシステムに通知し、チェンジャーがマガジンからドライブへ可搬媒体をマウントするためのホストシステムからのマウント命令を受信したとき、ホストシステムに前記マウントが完了したことを報告するように構成されていることを特徴とするチェンジャー付き入出力装置。
【請求項２】
可搬媒体をロードしてデータの書き込み，読み出しを行うドライブと、複数の可搬媒体を格納するマガジンと、前記ドライブとマガジンとの間で可搬媒体の搬送を行うチェンジャーと、制御部を介して前記ドライブとチェンジャーとの動作モードを管理する動作モード管理部と、動作モード管理部が管理する動作モードの切り替えを行う動作モード切替手段とを備え、動作モード切替手段から動作モードの変更を指示されたとき、動作モード管理部に変更後の動作モードを記憶して、制御部に動作モードの変更制御を行わせる入出力装置であって、可搬媒体がドライブにロードされたことを検出したとき、動作モード管理部から動作モードを取得して、動作モードがチェンジャーモードであれば、チェンジャー型として運用の開始処理を行って、チェンジャーにマガジンがセットされたことをホストシステムへ通知して、マガジンからドライブに可搬媒体をマウントするホストシステムからのマウント命令を受信したとき、ホストシステムに前記マウント完了を報告し、動作モードがマニュアルモードであれば、マニュアル型として運用の開始処理を行って、可搬媒体がドライブにロードされたことをホストシステムへ通知するように構成されていることを特徴とするチェンジャー付き入出力装置。
【請求項３】
前記チェンジャー付き入出力装置が、チェンジャー付き磁気テープ装置であることを特徴とする請求項１または２記載のチェンジャー付き入出力装置。
【請求項４】
前記チェンジャー付き入出力装置が、チェンジャー付きＦＤ（Flexible Disk ）ドライブであることを特徴とする請求項１または２記載のチェンジャー付き入出力装置。
【請求項５】
前記チェンジャー付き入出力装置が、チェンジャー付きＣＤ（Compact Disk）ドライブであることを特徴とする請求項１または２記載のチェンジャー付き入出力装置。
【請求項６】
前記チェンジャー付き入出力装置が、チェンジャー付きＤＶＤ（Digital Versatile Disk）ドライブであることを特徴とする請求項１または２記載のチェンジャー付き入出力装置。
【請求項７】
可搬媒体をロードしてデータの書き込み，読み出しを行うドライブと、複数の可搬媒体を格納するマガジンと、前記ドライブとマガジンとの間で可搬媒体の搬送を行うチェンジャーとを備えた入出力装置において、チェンジャー型として運用の開始処理を行って、可搬媒体がドライブにロードされたことを検出したときは、チェンジャーにマガジンがセットされたことをホストシステムに通知し、チェンジャーがマガジンからドライブへ可搬媒体をマウントするためのホストシステムからのマウント命令を受信したとき、ホストシステムに前記マウントが完了したことを報告することを特徴とするチェンジャー付き入出力装置の制御方法。
【請求項８】
可搬媒体をロードしてデータの書き込み，読み出しを行うドライブと、複数の可搬媒体を格納するマガジンと、前記ドライブとマガジンとの間で可搬媒体の搬送を行うチェンジャーと、制御部を介して前記ドライブとチェンジャーとの動作モードを管理する動作モード管理部と、動作モード管理部が管理する動作モードの切り替えを行う動作モード切替手段とを備え、動作モード切替手段から動作モードの変更を指示されたとき、動作モード管理部に変更後の動作モードを記憶して、制御部に動作モードの変更制御を行わせる入出力装置において、可搬媒体がドライブにロードされたことを検出したとき、動作モード管理部から動作モードを取得して、動作モードがチェンジャーモードであれば、チェンジャー型として運用の開始処理を行って、チェンジャーにマガジンがセットされたことをホストシステムへ通知して、マガジンからドライブに可搬媒体をマウントするホストシステムからのマウント命令を受信したとき、ホストシステムに前記マウント完了を報告し、動作モードがマニュアルモードであれば、マニュアル型として運用の開始処理を行って、可搬媒体がドライブにロードされたことをホストシステムへ通知することを特徴とするチェンジャー付き入出力装置の制御方法。
【発明の詳細な説明】
【技術分野】
【０００１】
この発明は、可搬型記憶媒体に対するデータの記録，再生を行う、チェンジャー付きの入出力装置とその制御方法に関する。
【背景技術】
【０００２】
チェンジャー付き磁気テープ装置は、マガジンと呼ばれる磁気テープを１０〜１６巻程度格納可能な格納庫をドライブ部分にセットして、格納された磁気テープの掛け替えを行いながら、マガジンとドライブとの間で記録，再生を行う機能を有するものであって、SCSI Primary Commands 3 (ANSI INCITS 408-2OO5)において、Removable Medium Devices with an Attached Medium Changerと定義されている、磁気テープを用いた入出力装置である。
【０００３】
チェンジャー付き磁気テープ装置は、マガジンをチェンジャーにセットして使用する形態（以下、チェンジャー型と記述する）であるのが一般的であるが、マガジンを使用せずに、ドライブに直接、磁気テープをロードして使用する形態（以下、マニュアル型と記述する）をとることが可能な装置も存在する。
【０００４】
磁気テープ装置をチェンジャー型として使用するためには、セットしたマガジン内の磁気テープをドライブへ搬送するマウント命令が必要である。
一方、磁気テープ装置をマニュアル型として使用する場合には、磁気テープをドライブへ搬送するマウント命令は必要がないだけでなく、マウント命令を不正命令としてエラー処理を行うことになる。そのため、ホストシステムには、磁気テープ装置がマニュアル型であるか、またはチェンジャー型であるかを構成情報として設定しておくシステムがあって、このようなシステムでは、磁気テープ装置の構成情報を変更した際には、システムの再起動を要求されることがある。
【０００５】
従来、このようなシステムの場合に、例えば磁気テープを１巻だけ使用するような場合には、構成情報の変更に伴う影響を少なくするために、磁気テープを１巻だけ格納するためのマガジンを用意しておいて、磁気テープ装置をチェンジャー型として運用する方法があり、ホストシステムの設定をチェンジャー型からマニュアル型に変更して再起動を行うよりも簡単なため、多くの場合に利用されていた。
【０００６】
しかしながら、磁気テープを１巻だけ使用するような場合に、チェンジャー型として運用するために磁気テープを１巻だけ格納するためのマガジンを用意しなくても、磁気テープ装置を、マニュアル型としても運用可能なようにすることができれば便利であるが、従来、このようなことが可能な磁気テープ装置は、全く提案されていなかった。
【０００７】
これに対して特許文献１においては、複数のドライブ装置を有する情報記録再生装置において、各ドライブ装置ごとに、カセット収納棚からカセットが搬送されてきたことを検出するための光検出センサを設け、この光検出センサによって、カセットがドライブ装置に搬送されてきたことが検出されると、ライブラリコントローラは、ドライブ装置における準備動作であるロード処理の実行を待たずに、カセットの装着が終了したものと判断して、カセット装着終了の通知をホストコンピュータに送るようにし、ホストコンピュータは、この通知を受けた時点で、直ちに、次のカセットの搬送をライブラリコントローラに対して要求できるようにすることによって、カセットライブラリシステム全体として、カセット搬送にかかる無駄な待ち時間を省くとともに、処理速度を向上させるようにした、情報記録再生装置ならびにその記録媒体装着完了判断方法および記録媒体装着完了通知方法が開示されている。
【０００８】
このように特許文献１記載の技術によれば、記録媒体収納棚から情報記録再生装置に記録媒体を搬送する際の無駄な待ち時間をなくして、システム全体の効率を向上させることが可能な旨が記載されている。
しかしながら、特許文献１においては、磁気テープを１巻だけ使用するような場合に、チェンジャー型として運用するための磁気テープを格納するマガジンを用意しなくても、磁気テープ装置を、マニュアル型として運用することが可能なようにすることについては、なんら記載されていない。
【０００９】
また、特許文献２においては、記憶容量の異なる記憶媒体を動作モードを切り替えて読み書き可能な外部記憶装置と、外部記憶装置に動作モードの切り替え信号を出力する動作モード切り替え信号送出部と、外部記憶装置の動作モードと外部記憶装置にセットされた記憶媒体との適合を判別して、不適合の場合に読み書きエラーとして検出するエラー検出部と、読み書きエラーを検出した場合に、他の動作モードへの切り替え指令を出力する動作モード切り替え指令部と、外部記憶装置から記憶媒体の交換信号を検出して動作モードを初期状態にする交換信号検出部とを備え、動作モード切り替え信号送出部と、交換信号検出部とをコンピュータ本体のＣＰＵと別体の動作モード切り替え制御機構として有する、外部記憶装置の制御装置が開示されている。
【００１０】
このように特許文献２記載の技術によれば、メインメモリの消費を防止し、ＦＤＤの３動作モード（２ＤＤ，２ＨＤ，２ＨＣ）以上の切り替えを円滑に行うことができる旨が記載されている。
しかしながら、特許文献２においては、磁気テープを１巻だけ使用するような場合に、チェンジャー型として運用するための磁気テープを格納するマガジンを用意しなくても、磁気テープ装置を、マニュアル型として運用することが可能なようにすることについては、なんら記載されていない。
【００１１】
また、特許文献３においては、情報媒体を内蔵するカセットの収納部と、装置内外への挿入排出をするカセット挿入排出部と、読出書込処理をするドライブ部と、カセットの授受をするチェンジャ部と、構成部の動作を制御する制御部とからなるテープ状媒体オートチェンジャ装置において、外部ホスト・プロセッサからのコマンドに基づいて起動するように構成されかつ筐体内に単一に存在するデータ処理装置を備え、このデータ処理装置を、外部ホスト・プロセッサにおける処理動作とは独立して、ドライブ部の動作とチェンジャ部の動作とをそれぞれ制御するように構成した、テープ状媒体オートチェンジャ装置が開示されている。
【００１２】
このように特許文献３記載の技術によれば、外部ホストの負担を軽減し、操作性および信頼性を向上させ得るテープ状媒体オートチェンジャ装置が提供される旨が記載されている。
しかしながら、特許文献３においては、磁気テープを１巻だけ使用するような場合に、チェンジャー型として運用するための磁気テープを格納するマガジンを用意しなくても、磁気テープ装置を、マニュアル型として運用することが可能なようにすることについては、なんら記載されていない。
【特許文献１】特開２００１−０９３２１８号公報（図１，〔００３８〕〜〔００３９〕、〔００４１〕）
【特許文献２】特開平０５−１００７９４号公報（〔００１５〕）
【特許文献３】特開平０５−２９０４７５号公報（図５，〔００３０〕〜〔００３２〕）
【発明の開示】
【発明が解決しようとする課題】
【００１３】
従来、磁気テープを１巻だけ使用するような場合に、チェンジャー型として運用するために磁気テープを１巻だけ格納するためのマガジンを用意しなくても、磁気テープ装置を、チェンジャー型としてもマニュアル型としても運用することが可能なようにすることはできないという問題があった。
この発明は上述の事情に鑑みてなされたものであって、チェンジャー型の磁気テープ装置等のチェンジャー付き入出力装置において、ホストシステムの変更を行わなくても、磁気テープ等の可搬媒体を直接、ドライブにセットして使用することが可能な、チェンジャー付き入出力装置を提供することを目的としている。
【課題を解決するための手段】
【００１４】
このような課題を解決するため、請求項１記載の発明はチェンジャーつき入出力装置に係り、可搬媒体をロードしてデータの書き込み，読み出しを行うドライブと、複数の可搬媒体を格納するマガジンと、上記ドライブとマガジンとの間で可搬媒体の搬送を行うチェンジャーとを備えた入出力装置であって、チェンジャー型として運用の開始処理を行って、可搬媒体がドライブにロードされたことを検出したときは、チェンジャーにマガジンがセットされたことをホストシステムに通知し、チェンジャーがマガジンからドライブへ可搬媒体をマウントするためのホストシステムからのマウント命令を受信したとき、ホストシステムに上記マウントが完了したことを報告するように構成されていることを特徴としている。
【００１５】
また、請求項２記載の発明はチェンジャーつき入出力装置に係り、可搬媒体をロードしてデータの書き込み，読み出しを行うドライブと、複数の可搬媒体を格納するマガジンと、上記ドライブとマガジンとの間で可搬媒体の搬送を行うチェンジャーと、制御部を介して上記ドライブとチェンジャーとの動作モードを管理する動作モード管理部と、動作モード管理部が管理する動作モードの切り替えを行う動作モード切替手段とを備え、動作モード切替手段から動作モードの変更を指示されたとき、動作モード管理部に変更後の動作モードを記憶して、制御部に動作モードの変更制御を行わせる入出力装置であって、可搬媒体がドライブにロードされたことを検出したとき、動作モード管理部から動作モードを取得して、動作モードがチェンジャーモードであれば、チェンジャー型として運用の開始処理を行って、チェンジャーにマガジンがセットされたことをホストシステムへ通知して、マガジンからドライブに可搬媒体をマウントするホストシステムからのマウント命令を受信したとき、ホストシステムに上記マウント完了を報告し、動作モードがマニュアルモードであれば、マニュアル型として運用の開始処理を行って、可搬媒体がドライブにロードされたことをホストシステムへ通知するように構成されていることを特徴としている。
【００１６】
また、請求項３記載の発明は、請求項１または２記載のチェンジャー付き入出力装置に係り、上記チェンジャー付き入出力装置が、チェンジャー付き磁気テープ装置であることを特徴としている。
【００１７】
また、請求項４記載の発明は、請求項１または２記載のチェンジャー付き入出力装置に係り、上記チェンジャー付き入出力装置が、チェンジャー付きＦＤ（Flexible Disk ）ドライブであることを特徴としている。
【００１８】
また、請求項５記載の発明は、請求項１または２記載のチェンジャー付き入出力装置に係り、上記チェンジャー付き入出力装置が、チェンジャー付きＣＤ（Compact Disk）ドライブであることを特徴としている。
【００１９】
また、請求項６記載の発明は、請求項１または２記載のチェンジャー付き入出力装置に係り、上記チェンジャー付き入出力装置が、チェンジャー付きＤＶＤ（Digital Versatile Disk）ドライブであることを特徴としている。
力装置。
【００２０】
また、請求項７記載の発明はチェンジャー付き入出力装置の制御方法に係り、可搬媒体をロードしてデータの書き込み，読み出しを行うドライブと、複数の可搬媒体を格納するマガジンと、上記ドライブとマガジンとの間で可搬媒体の搬送を行うチェンジャーとを備えた入出力装置において、チェンジャー型として運用の開始処理を行って、可搬媒体がドライブにロードされたことを検出したときは、チェンジャーにマガジンがセットされたことをホストシステムに通知し、チェンジャーがマガジンからドライブへ可搬媒体をマウントするためのホストシステムからのマウント命令を受信したとき、ホストシステムに上記マウントが完了したことを報告することを特徴としている。
【００２１】
また、請求項８記載の発明はチェンジャー付き入出力装置の制御方法に係り、可搬媒体をロードしてデータの書き込み，読み出しを行うドライブと、複数の可搬媒体を格納するマガジンと、上記ドライブとマガジンとの間で可搬媒体の搬送を行うチェンジャーと、制御部を介して上記ドライブとチェンジャーとの動作モードを管理する動作モード管理部と、動作モード管理部が管理する動作モードの切り替えを行う動作モード切替手段とを備え、動作モード切替手段から動作モードの変更を指示されたとき、動作モード管理部に変更後の動作モードを記憶して、制御部に動作モードの変更制御を行わせる入出力装置において、可搬媒体がドライブにロードされたことを検出したとき、動作モード管理部から動作モードを取得して、動作モードがチェンジャーモードであれば、チェンジャー型として運用の開始処理を行って、チェンジャーにマガジンがセットされたことをホストシステムへ通知して、マガジンからドライブに可搬媒体をマウントするホストシステムからのマウント命令を受信したとき、ホストシステムに上記マウント完了を報告し、動作モードがマニュアルモードであれば、マニュアル型として運用の開始処理を行って、可搬媒体がドライブにロードされたことをホストシステムへ通知することを特徴としている。
【発明の効果】
【００２２】
本発明のチェンジャーつき入出力装置によれば、チェンジャー型の装置として運用を開始した場合に、マガジンを使用することなくテープを直接、ドライブにロードしたとき、マガジンがセットされたようにホストシステムに報告するので、ホストシステム側の変更を行うことを必要とせずに、テープに対するデータの書き込み，読み出しを行うことができる。
また、本発明のチェンジャー付き入出力装置によれば、チェンジャー型の装置において、テープをドライブにセットしたときに、マガジンがセットされたようにホストシステムに報告するので、ホストシステムの変更を行わずに、テープを直接、ドライブにセットして使用することができるとともに、システムのインストール等の理由でＯＳ（Operation System）が立ち上がっていない状態でテープを使用する場合に、動作モードを切り替えることによって従来装置と同様に直接、テープをドライブにロードすることができるようになるので、動作モードをマニュアル型に切り替えて使用することが可能になる。
【発明を実施するための最良の形態】
【００２３】
この発明のチェンジャーつき入出力装置は、可搬媒体をロードしてデータの書き込み，読み出しを行うドライブと、複数の可搬媒体を格納するマガジンと、ドライブとマガジンとの間で可搬媒体の搬送を行うチェンジャーとを備えた入出力装置であって、チェンジャー型として運用の開始処理を行って、可搬媒体がドライブにロードされたことを検出したときは、チェンジャーにマガジンがセットされたことをホストシステムに通知し、チェンジャーがマガジンからドライブへ可搬媒体をマウントするためのホストシステムからのマウント命令を受信したとき、ホストシステムにマウントが完了したことを報告するように構成されている
【実施例１】
【００２４】
図１は、従来技術および本発明の第１実施例が適用されるチェンジャー付き磁気テープ装置の構成を示すブロック図、図２は、本実施例において、マガジンを使用した場合の、従来技術による運用の開始時の動作を示すフローチャート、図３は、本実施例において、テープを直接、ドライブにセットする場合の、従来技術による運用の開始時の動作を示すフローチャート、図４は、本実施例の場合に、テープをドライブに直接、ロードしたときの運用の開始時の動作を示すフローチャートである。
【００２５】
この例のチェンジャー付き磁気テープ装置は、図１に示すように、磁気テープ装置１１と、ホストシステム１２とから概略構成されている。磁気テープ装置１１は、さらに、制御部１１１と、ドライブ１１２と、チェンジャー１１３と、マガジン１１４とから構成されている。
磁気テープ装置１１は、磁気テープ媒体（以後、磁気テープ媒体を単にテープともいう）へのデータの書き込み，読出しを行う。ホストシステム１２は、磁気テープ装置１１に対して、テープのマウント，デマウント，リード，ライト等の命令を発行するホストコンピュータからなっている。
【００２６】
磁気テープ装置１１において、制御部１１１は、ドライブ１１２とチェンジャー１１３の状態の監視、マガジン１１４の脱着による状態変化のホストシステム１２への通知、ホストシステム１２からの命令に基づくドライブ１１２およびチェンジャー１１３の制御等、磁気テープ装置１１の全体の制御を行う。ドライブ１１２は、ホストシステム１２からの命令に基づいて、テープに対するデータの書き込み，読み出しを行う。
チェンジャー１１３は、ホストシステム１２からの命令に応じて、ドライブ１１２とマガジン１１４間のテープの搬送を行うものであって、マガジン１１４からドライブ１１２へテープを搬送して読み書き可能な状態にマウントし（マウントするとは、マガジンの特定のセルからドライブにテープを搬送して使用可能な状態に装着することをいう。以下、省略）、逆にドライブ１１２からテープを取り出してマガジン１１４に戻すデマウントの動作を行う。
マガジン１１４は、複数（例えば１０〜１６巻程度）のテープを格納する格納庫からなっている。
【００２７】
ドライブ１１２に対してテープをロードする（ロードするとは、テープをドライブに対して使用可能な状態に装着することをいう。以下、省略）処理と、逆にドライブ１１２からテープを取り出すアンロードの処理とは、マガジン１１４がチェンジャー１１３にセットされていれば（セットするとは、チェンジャーにマガジンを使用可能な状態に装着することをいう。以下、省略）、ホストシステム１２からの命令によって実施することができる。また、マガジン１１４がセットされていない状態では、人手で直接、操作して、テープのロードとアンロードとを実施することもできる。
【００２８】
以下、図１に示された磁気テープ装置の動作を説明する。最初に、図１に例示されたシステム構成で、マガジンを使用してチェンジャー型として運用する場合の、従来技術に基づく運用の開始処理について、図２のフローチャートを参照して説明する。
【００２９】
制御部１１１が、チェンジャー１１３に対して、マガジン１１４がセットされていることを検出すると（ステップＳ２０１）、制御部１１１はチェンジャー１１３にマガジン１１４がセットされたことをホストシステム１２に通知する（ステップＳ２０２）。ホストシステム１２は、チェンジャー１１３にマガジン１１４がセットされた旨の磁気テープ装置１２からの通知を受けたとき、磁気テープ装置１１に対して、マガジン１１４からドライブ１１２へテープをマウントする命令を発行する。磁気テープ装置１１は、ホストシステム１２からのマウント命令を受信すると（ステップＳ２０３）、チェンジャー１１３に対してテープをドライブ１１２にマウントする指示を行う（ステップＳ２０４）。チェンジャー１１３に対するマウント指示後、制御部１１１は、ドライブ１１２にテープがロードされたことを検出すると（ステップＳ２０５）、ホストシステム１２に対してマウント処理の完了を報告する（ステップＳ２０６）。
これによって、ホストシステム１２からテープに対するデータの書き込み，読み出しを行うことができるようになる。
【００３０】
次に、図１に示されたシステム構成で、テープを直接、ドライブ１１２にロードしてマニュアル型として運用する場合の、従来技術に基づく運用の開始処理について、図３のフローチャートを参照して説明する。
【００３１】
制御部１１１が、テープがドライブ１１２にロードされていることを検出すると（ステップＳ３０１）、テープがロードされたことをホストシステム１２へ通知する（ステップＳ３０２）。
これによって、ホストシステム１２からテープに対するデータの書き込み，読み出しを行うことができるようになる。
【００３２】
次に、図１に示されたシステム構成で、テープを直接、ドライブにロードしたときの、本発明による動作について、図４のフローチャートを参照して説明する。
【００３３】
本発明の場合、磁気テープ装置１１は、テープをドライブ１１２に直接ロードした場合もチェンジャー型として運用の開始処理を行う。
制御部１１１は、テープがドライブ１１２にロードされたことを検出しても（ステップＳ４０１）、テープがロードされたことをホストシステム１２に通知しないで、マガジン１１４がチェンジャー１１３にセットされたものとしてホストシステム１２へ通知する（ステップＳ４０２）。
制御部１１１は、これによってホストシステム１２からテープをドライブ１１２へマウントする命令を受信すると（ステップＳ４０３）、チェンジャー１１３，ドライブ１１２に対してなんら指示を行うことなく、ホストシステム１２に対してドライブ１１２へのテープのマウントが終了したことを報告する（ステップＳ４０４）。
これによって、ホストシステム１２からテープに対するデータの書き込み，読み出しを行うことができるようになる。
【００３４】
このように、この例のチェンジャー付き入出力装置では、チェンジャー型の装置として運用を開始する場合に、マガジンを使用することなくテープを直接、ドライブにロードしたとき、マガジンがセットされたようにホストシステムに報告するので、ホストシステム側の変更を行うことを必要とせずに、テープに対するデータの書き込み，読み出しを行うことができる。
【実施例２】
【００３５】
図５は、本発明の第２実施例であるチェンジャー付き磁気テープ装置の構成を示すブロック図、図６は、本実施例における動作モード切り替え処理を示すフローチャート、図７は、本実施例の場合における、運用の開始処理を示すフローチャートである。
【００３６】
この例のチェンジャー付き磁気テープ装置は、磁気テープ装置１１Ａと、ホストシステム１２とからなる概略構成は第１実施例の場合と同様であるが、磁気テープ装置１１Ａの構成が第１実施例の場合とは異なっている。
【００３７】
磁気テープ装置１１Ａは、図５に示すように、制御部１１１Ａと、ドライブ１１２と、チェンジャー１１３と、マガジン１１４と、動作モード管理部１１５と、動作モード切替手段１１６とから構成されている。これらのうち、ドライブ１１２，チェンジャー１１３，マガジン１１４は、図１に示された第１実施例の場合と同様である。
【００３８】
制御部１１１Ａは、磁気テープ装置１１Ａの全体の制御を行う以外に、動作モード管理部１１５からの動作モード変更の指示に応じて、ドライブ１１２，チェンジャー１１３，マガジン１１４を、チェンジャー型とマニュアル型とに切り替えて動作させるように制御する。動作モード管理部１１５は、現在の動作モードを記憶し、制御部１１１Ａから動作モードの問い合わせがあったとき、現在の動作モードを通知するとともに、動作モード切替手段１１６の指示に応じて制御部１１１Ａに動作モードの変更を行わせる。動作モード切替手段１１６は、動作モードをチェンジャー型とマニュアル型とに切り替える手段であって、ユーザのスイッチ（不図示）操作、パネル（不図示）からの設定、管理端末（不図示）からのシリアルインタフェースやネットワークを介する設定等からなっている。
【００３９】
以下、図６，図７に基づいて図５に示された磁気テープ装置の動作を説明する。
図６は、この例の磁気テープ装置における動作モード切り替え処理における動作フローを示したものである。
動作モード切替手段１１６から、磁気テープ装置における動作モードの変更が指示されたとき（ステップＳ６０１）、動作モード管理部１１５は、変更後の動作モードを記憶して（ステップＳ６０２）、これに基づいて制御部１１１Ａに動作モードの変更を通知する（ステップＳ６０３）。
【００４０】
図７は、この例の磁気テープ装置における、運用の開始処理時の動作フローを示したものである。
制御部１１１Ａは、ドライブ１１２にテープがロードされたことを検出すると（ステップＳ７０１）、動作モード管理部１１５から動作モードを取得する。取得した動作モードがチェンジャー型であったときは（ステップＳ７０２：Ｙｅｓ）、第１実施例の場合のステップＳ４０２〜ステップＳ４０４と同様に、チェンジャー型の運用の開始処理を行う。動作モード管理部１１５から取得した動作モードがマニュアル型であったときは（ステップＳ７０２：Ｎｏ）、マニュアル型の運用の開始処理によって、第１実施例のステップＳ３０２と同様に、テープがドライブ１１２にロードされたことをホストシステム１２に通知する（ステップＳ７０４）。
【００４１】
このように、この例のチェンジャー付き入出力装置では、チェンジャー型の装置において、テープをドライブにセットしたときに、マガジンがセットされたようにホストシステムに報告するので、ホストシステムの変更を行わずに、テープを直接、ドライブにセットして使用することができるとともに、システムのインストール等の理由でＯＳ（Operation System）が立ち上がっていない状態でテープを使用する場合に、動作モードを切り替えることによって従来装置と同様に直接、テープをドライブにロードすることができるようになるので、動作モードをマニュアル型に切り替えて使用することが可能になる。
【００４２】
以上、この発明の実施例を図面により詳述してきたが、具体的な構成はこの実施例に限られるものではなく、この発明の要旨を逸脱しない範囲の設計の変更等があってもこの発明に含まれる。例えば、本発明のチェンジャー付き入出力装置は、チェンジャー付き磁気テープ装置に限らず、チェンジャー付きＦＤ（Flexible Disk ）ドライブ，チェンジャー付きＣＤ（Compact Disk）ドライブおよびチェンジャー付きＤＶＤ（Digital Versatile Disk）ドライブ等においても適用可能である。
【産業上の利用可能性】
【００４３】
この発明のチェンジャー付き入出力装置は、可搬媒体を扱う各種チェンジャー付き入出力装置、例えばチェンジャー付き磁気テープ装置，チェンジャー付きＦＤドライブ，チェンジャー付きＣＤドライブおよびチェンジャー付きＤＶＤドライブ等の領域において、幅広く利用することができる。
【図面の簡単な説明】
【００４４】
【図１】従来技術および本発明の第１実施例が適用されるチェンジャー付き磁気テープ装置の構成を示すブロック図である。
【図２】同実施例において、マガジンを使用した場合の、従来技術による運用の開始時の動作を示すフローチャートである。
【図３】同実施例において、テープを直接、ドライブにセットする場合の、従来技術による運用の開始時の動作を示すフローチャートである。
【図４】同実施例の場合に、テープをドライブに直接、ロードしたときの運用の開始時の動作を示すフローチャートである。
【図５】本発明の第２実施例であるチェンジャー付き磁気テープ装置の構成を示すブロック図である。
【図６】同実施例における動作モード切り替え処理を示すフローチャートである。
【図７】同実施例の場合における、運用の開始処理を示すフローチャートである。
【符号の説明】
【００４５】
１１，１１Ａ    磁気テープ装置
１２    ホストシステム
１１１，１１１Ａ    制御部
１１２    ドライブ
１１３    チェンジャー
１１４    マガジン
１１５    動作モード管理部
１１６    動作モード切替手段
【図１】
2008234796.tif 000003
【図２】
2008234796.tif 000004
【図３】
2008234796.tif 000005
【図４】
2008234796.tif 000006
【図５】
2008234796.tif 000007
【図６】
2008234796.tif 000008
【図７】
2008234796.tif 000009